(57)【特許請求の範囲】
【請求項１】
略長方形状の底板と該底板を幅方向に下り傾斜させて保持する保持部を有しかつ前記保持部の両端側から垂直方向に立ち上がる支持杆を有する保持部材を有する型枠部材と、前記底板と型枠部材とで囲まれた空間内に補強筋及び網目状シートで箱形ケース状に形成した箱状ケース体と、該箱状ケース体内の底部に敷設された土及び肥料と、敷設された土及び肥料の上に蒔かれた草木用の種子と、草木用の種子上に再度充填され押圧固化された土及び肥料と、
を備えた略立方体ブロック状のユニット本体と、
該ユニット本体の上面を被覆した補強筋及び網目状シートと、
該ユニット本体を前記保持部材から取り出したとき底板接触側に形成される植栽補強土壁用ユニットの表面植栽部と、
を有することを特徴とする植栽式補強土壁用ユニット。
【請求項２】
略長方形状の底板を幅方向に下り傾斜させて保持する保持部を有し、かつ前記保持部の両端側から垂直方向に立ち上がる支持杆を有する保持部材内に、幅方向に向かって下り勾配に傾斜させて前記底板を設置し、
底板と保持杆とで囲まれた空間には補強筋及び網目状シートで箱状ケース体を形成し、
該箱状ケース体内の底部に土及び肥料を敷設すると共に草木用の種子を蒔き、その上に再度土及び肥料を充填して押圧固化し、略立方体ブロック状のユニット本体を形成し、
該ユニット本体の上面を補強筋及び網目状シートで被覆した後、該ユニット本体を回転させて前記底板接触側を植栽補強土壁用ユニットの表面植栽部とした、
ことを特徴とする植栽式補強土壁用ユニットの製造方法。
【請求項３】
請求項１記載の植栽式補強土壁ユニットを吊り上げ、搬送し、植栽式補強土壁の形成位置に順次積み上げて植栽式補強土壁を形成した、
ことを特徴とする植栽式補強土壁の施工方法。
【請求項４】
植栽式補強土壁の形成位置近傍箇所で前記請求項２によって植栽式補強ユニットを製造し、
製造した植栽式ユニットを吊り上げて植栽式補強土壁の形成位置まで搬送し、あらかじめ表面側を掘削した形成位置に順次植栽式ユニットを積み上げて植栽式補強土壁を形成した、
ことを特徴とする植栽式補強土壁の施工方法。
【発明の詳細な説明】
【０００１】
【発明の属する技術分野】
本発明は植栽式の補強土壁及びその施工方法に関するものである。
【従来の技術】
近年、地球温暖化や地球環境の改善に鑑み、各種擁壁、土壁の表面に草木等の植栽を施した植栽式補強土壁の施工が提案されている。
【０００２】
そして従来、この植栽式補強土壁の施工は、所定の上り勾配角度にして土壁施工の表面側に立設した補強筋及び網目シートからなる型枠内側面から、草木の種子があらかじめ埋設された植生マットを取り付け、前記設置した補強筋及び網目シートの背面側に盛土材を充填して転圧機により転圧すると共に敷均して第１層を形成し、その後、その第１層の上方に再度上記と同様の工程を順次行い、第２層、第３層と順次形成して最終的に所定の登り勾配角度を有する植栽式補強土壁の施工を行っていた。
【発明が解決しようとする課題】
しかしながら、前記従来の施工方法であると、
１）植生マットは高価であり、ひいては全体の植栽式補強土壁の施工コストがきわめて高額となっていた。
２）現場での補強土壁表面側の所定の勾配角度にした型枠施工が難しく、かつその型枠施工作業が作業手間となっていた。さらに土壁表面側の良好な仕上がりには熟練した技術を要するものであった。
３）全体的に現場で大型転圧機や小型転圧機の導入が必要とされ、しかも特に土壁表面側に設置してある型枠近傍位置では転圧作業による型枠押圧により設置した型枠の勾配角度が変わってしまう。
との課題が存在していた。
【０００３】
かくして、本発明は前記従来の課題に鑑みて創案されたものであり、高額な植生マットを使用せず、また現場での施工作業が簡単で熟練した施工技術を必要とせず、容易、迅速にかつ施工コストを安価にして施工できる植栽式補強土壁ユニット及び植栽式補強土壁の施工方法を提供することを目的とするものである。
【課題を解決するための手段】
本発明は、
略長方形状の底板と該底板を幅方向に下り傾斜させて保持する保持部を有しかつ前記保持部の両端側から垂直方向に立ち上がる支持杆を有する保持部材を有する型枠部材と、前記底板と型枠部材とで囲まれた空間内に補強筋及び網目状シートで箱形ケース状に形成した箱状ケース体と、該箱状ケース体内の底部に敷設された土及び肥料と、敷設された土及び肥料の上に蒔かれた草木用の種子と、草木用の種子上に再度充填され押圧固化された土及び肥料と、
を備えた略立方体ブロック状のユニット本体と、
該ユニット本体の上面を被覆した補強筋及び網目状シートと、
該ユニット本体を前記保持部材から取り出したとき底板接触側に形成される植栽補強土壁用ユニットの表面植栽部と、
を有することを特徴とし、
略長方形状の底板を幅方向に下り傾斜させて保持する保持部を有し、かつ前記保持部の両端側から垂直方向に立ち上がる支持杆を有する保持部材内に、幅方向に向かって下り勾配に傾斜させて前記底板を設置し、
底板と保持杆とで囲まれた空間には補強筋及び網目状シートで箱状ケース体を形成し、
該箱状ケース体内の底部に土及び肥料を敷設すると共に草木用の種子を蒔き、その上に再度土及び肥料を充填して押圧固化し、略立方体ブロック状のユニット本体を形成し、
該ユニット本体の上面を補強筋及び網目状シートで被覆した後、該ユニット本体を回転させて前記底板接触側を植栽補強土壁用ユニットの表面植栽部とした、
ことを特徴とし、
前記記載の植栽式補強土壁ユニットを吊り上げ、搬送し、植栽式補強土壁の形成位置に順次積み上げて植栽式補強土壁を形成した、
ことを特徴とし、
植栽式補強土壁の形成位置近傍箇所で前記記載の製造方法によって植栽式補強ユニットを製造し、
製造した植栽式ユニットを吊り上げて植栽式補強土壁の形成位置まで搬送し、あらかじめ表面側を掘削した形成位置に順次植栽式補強土壁ユニットを積み上げて植栽式補強土壁を形成した、
ことを特徴とするものである。
【発明の実施の形態】
以下、図に基づいて本発明を説明する。
【０００４】
図において符号１は型枠を示す。
【０００５】
該型枠１は、略長方形状をなす底板２をその幅方向において下り傾斜させて保持する保持部３と、この保持部３の両端から垂直方向へ立ち上がる支持杆４，４とを有する保持部材５を備えて構成されている。
【０００６】
そしてこの保持部材５を少なくとも底板２の長手方向側に間隔をあけて複数個設置されて型枠１が構成される。
【０００７】
この複数個の保持部材５と、複数個の保持部材５の保持部３に下り傾斜を有して設置された底板２とで囲まれ形成された断面略凹状をなす空間内には断面略凹状に折曲された略格子状をなす補強筋６と小さい網目を有する網目状シート７とが図１及び図２の様に取り付けられ、かつ底板２の長手方向両端部からも補強筋６と網目状シート７とが上方に折曲、立ち上げて取り付けられ、全体として箱型ケース状にされた箱状ケース体８が形成されている。
【０００８】
しかして、この箱状ケース体７の底部には図３から理解されるように、土及び肥料９が敷設される。この土及び肥料９の敷設の厚みは箱状ケース体８の高さの１０分の１程度で構わない。
【０００９】
ここで敷設した土及び肥料９の上に所定草木の種子１０が蒔かれる。該種子１０の蒔き方としては底部全体にわたって散点状に蒔くのが好ましい。
【００１０】
従来、前述のように種子があらかじめ蒔かれて固定されたいわゆる植生マットが使用されていたが、該植生マットはコストがきわめて高額であり、かつあらかじめマットに固定された種子の種類は限られたものとなっていた。
【００１１】
しかし、本発明によれば、季節に応じ、場所に応じ、臨機応変に蒔くべき種子１０を選択でき、しかもそのコストは従来の植生マットに比較し大きく低廉化できることとなった。
【００１２】
上記のように所定草木の種子１０を蒔いた後、再度図４に示すように土及び肥料９を箱状ケース体８の内部が一杯となるよう充填し、小型の転圧機１１を使用して押圧し、固化する。これにより断面が台形をなした略立方体ブロック状のユニット本体１２が形成される。
【００１３】
その後、当該ユニット本体１２の上面が前述の補強筋６及び網目状シート７で被覆され、最終的に断面が台形をなした略立方体ブロック状の植栽式補強土壁ユニット１３が形成される（図６及び図７参照）。
【００１４】
また完成した植栽式補強土壁ユニット１３は図５のように型枠１が傾けられて取り出され、底板２と接触する面は草木の種子１０が発芽し、生長する表面植栽部１７として構成される。
【００１５】
ところで、これら植栽式補強土壁ユニット１３は植栽式補強土壁を施工する現場で製造することが出来る。
【００１６】
すなわち、型枠１を構成する複数個の保持部材５及び底板２は運搬しやすい形状で、かつ組み立てやすい形状となっている。
【００１７】
よって現場で型枠１を組み立てた後、簡単な作業で植栽式補強土壁ユニット１３を量産でき、これを現場で積み上げるだけで植栽式補強土壁を完成させることが出来る。
【００１８】
現場での植栽式補強ユニット１３の積み上げは図６及び図７に示すように、植栽式補強ユニット１３の上面に数カ所吊り上げ用のフック部１４・・・を形成し、該フック部１４・・・に吊り上げ部材１５の吊り上げ部１６を引っ掛け、上方に吊り上げると共に、例えば図７に示す施工箇所まで運搬し、積み上げるものとする。
【００１９】
図８は、本発明による植栽式補強土壁を自動車道路や鉄道、あるいは急勾配の丘などからの横圧に耐えるための切り盛り用の擁壁として使用する例を示したもので、植物の栽培が可能な表面植栽部１７により当該擁壁が将来の浸食から保護され、またいかなる交通騒音をも吸収する。さらに当該壁への落書きも現実には困難であり、植物が開花し、かつ生長した壁の外観は生活の質を高め、各人の心を和ませるものとして高く評価される。
【００２０】
次に、図９は本発明を護岸工事等に使用した例を示すもので、例えばひび割れして危険度の高い護岸岩の表面や接合された岩の表面を霜やその他天候の影響から保護するものとなる。
【００２１】
その結果、落石をなくし、岩肌の近傍を通過ぜざるを得ない交通車両を保護することになる。
【００２２】
さらに図１０は本発明をいわゆる防護壁に使用した例を示し、高速道路や鉄道などの交通騒音から付近の住宅に居住する住民を保護するものとなる。
【００２３】
積み上げられた重量のある植栽式補強土壁ユニット群が完全に騒音の伝達をシャットアウトし、また植物が生長した植栽式補強土壁ユニットの「柔らかい」植栽表面部が騒音を効率よく吸収するものとなる。
【発明の効果】
かくして本発明は以上の構成よりなる。
【００２４】
そして、本発明によれば、コストが高額な植生マットを使用せず、また現場での施工作業が簡単で熟練した施工技術を必要とせず、容易、迅速にかつ施工コストを安価にして植栽式補強土壁を施工できるとの優れた効果を奏する。
【図面の簡単な説明】
【図１】  本発明の構成を説明する構成説明図（その１）である。
【図２】  本発明の構成を説明する構成説明図（その２）である。
【図３】  本発明の構成を説明する構成説明図（その３）である。
【図４】  本発明の構成を説明する構成説明図（その４）である。
【図５】  本発明の構成を説明する構成説明図（その５）である。
【図６】  本発明の構成を説明する構成説明図（その６）である。
【図７】  本発明の構成を説明する構成説明図（その７）である。
【図８】  本発明の使用状態を説明する説明図（その１）である。
【図９】  本発明の使用状態を説明する説明図（その２）である。
【図１０】本発明の使用状態を説明する説明図（その３）である。
【符号の説明】
１    型枠
２    底板
３    保持部
４    支持杆
５    保持部材
６    補強筋
７    網目状シート
８    箱状ケース体
９    土及び肥料
１０    種子
１１    転圧機
１２    ユニット本体
１３    植栽式補強土壁ユニット
１４    フック部
１５    吊り上げ部材
１６    吊り上げ部
１７    表面植裁部
【図１】
0004450268.tif 000002
【図２】
0004450268.tif 000003
【図３】
0004450268.tif 000004
【図４】
0004450268.tif 000005
【図５】
0004450268.tif 000006
【図６】
0004450268.tif 000007
【図７】
0004450268.tif 000008
【図８】
0004450268.tif 000009
【図９】
0004450268.tif 000010
【図１０】
0004450268.tif 000011